(57)【要約】【課題】被験者の主観報告する際の操作入力プロセスも含めて解析する。【解決手段】生体情報計測システム１００に用いられる入力インターフェース装置１４０であって、操作表示画面１２０ａを含み、被検出体が操作表示画面に対して非接触である時の前記被検出体を検出する非接触状態検出部１２８と、を含む。この入力インターフェースを用いた生体情報計測システム１００は、被験者に直接取り付けられた測定装置１０４からの生体情報、または操作入力部への操作入力情報と関連付けて、非接触状態検出部１２８からの検出結果を記録装置１０６やメモリ１１０に記録する。【選択図】図１
2010220807.tif 000002
【特許請求の範囲】
【請求項１】
被験者の生体情報を計測する生体情報計測システムに用いられる入力インターフェース装置であって、
操作表示画面を含み、前記被験者により操作入力される操作入力部と、
前記被験者が情報入力する部位を被検出体とし、前記被検出体が前記操作表示画面に対して非接触である時の前記被検出体を検出する非接触状態検出部と、
を含むことを特徴とする入力インターフェース装置。
【請求項２】
請求項１において、
前記被接触状態検出部での検出結果に基づいて、前記操作表示画面を表示制御する表示制御部をさらに含むことを特徴とする入力インターフェース装置。
【請求項３】
請求項２において、
前記非接触状態検出部は、前記操作表示画面と平行な面上での前記被検出体の二次元位置情報を検出する二次元位置検出部を含むことを特徴とする入力インターフェース装置。
【請求項４】
請求項３において、
前記表示制御部は、前記二次元位置情報に基づいて、前記操作表示画面上のカーソルを表示制御することを特徴とする入力インターフェース装置。
【請求項５】
請求項２乃至４のいずれかにおいて、
前記非接触状態検出部は、前記操作表示画面に垂直な方向での前記被検出体の高さ位置情報を検出する高さ位置検出部を含むことを特徴とする入力インターフェース装置。
【請求項６】
請求項５において、
前記表示制御部は、前記高さ位置情報に基づいて、前記被検出体が前記操作表示画面から所定範囲に入った時に前記操作表示画面を点灯表示制御することを特徴とする入力インターフェース装置。
【請求項７】
請求項１乃至４のいずれかにおいて、
前記非接触状態検出部は、少なくとも前記操作表示画面を撮像する撮像装置をさらに有し、前記撮像装置が撮像した前記被検出体の画像情報に基づいて前記被検出体を検出することを特徴とする入力インターフェース装置。
【請求項８】
請求項５または６において、
前記非接触状態検出部は、少なくとも前記操作表示画面を撮像する撮像装置をさらに有し、前記高さ位置情報に基づいて、前記被検出体が前記操作表示画面から所定範囲に入った時に前記撮像装置での録画を開始制御することを特徴とする入力インターフェース装置。
【請求項９】
被験者に直接取り付けられて前記被験者の生体情報を測定する測定装置と、
操作表示画面を含み、前記被験者により操作入力される操作入力部と、
前記被験者が情報入力する部位を被検出体とし、前記被検出体が前記操作表示画面に対して非接触である時の前記被検出体を検出する非接触状態検出部と、
前記非接触状態検出部からの検出結果を、前記測定装置からの生体情報または前記操作入力部への操作入力情報と関連付けて記録する記録装置と、
を有することを特徴とする生体情報計測システム。
【請求項１０】
請求項９において、
前記非接触状態検出部は、前記操作表示画面と平行な面上での前記被検出体の二次元位置情報を検出する二次元位置検出部を含み、前記二次元位置情報は前記操作入力情報と関連付けて前記記録装置に記録されることを特徴とする生体情報計測システム。
【請求項１１】
請求項１０において。
前記被接触状態検出部での検出結果に基づいて、前記操作表示画面を表示制御する表示制御部をさらに有し、
前記表示制御部は、前記二次元位置情報に基づいて、前記操作表示画面上のカーソルを表示制御することを特徴とする生体情報計測システム。
【請求項１２】
請求項１０または１１において、
前記非接触状態検出部は、前記操作表示画面に垂直な方向での前記被検出体の高さ位置情報を検出する高さ位置検出部を含み、
前記表示制御部は、前記高さ位置情報に基づいて、前記被検出体が前記操作表示画面から所定範囲に入った時に前記操作表示画面を点灯表示制御することを特徴とする生体情報計測システム。
【請求項１３】
請求項９乃至１２のいずれかにおいて、
前記非接触状態検出部は、前記被検出体の速度、加速度等の物理量を検出する物理検出部を含み、前記物理量は前記操作入力情報と関連付けて前記記録装置に記録されることを特徴とする生体情報計測システム。
【請求項１４】
請求項９乃至１３のいずれかにおいて、
前記非接触情報検出部は、前記被検出体が移動している期間を検出する移動期間検出部を含み、前記移動期間は前記生体情報と関連付けて前記記録装置に記録されることを特徴とする生体情報計測システム。
【請求項１５】
請求項９乃至１４のいずれかにおいて、
前記非接触状態検出部は、少なくとも前記操作表示画面を撮像する撮像装置をさらに有し、前記撮像装置が撮像した前記被検出体の画像情報に基づいて前記被検出体を検出することを特徴とする生体情報計測システム。
【請求項１６】
請求項１２において、
前記非接触状態検出部は、少なくとも前記操作表示画面を撮像する撮像装置をさらに有し、前記高さ位置情報に基づいて、前記被検出体が前記操作表示画面から所定範囲に入った時に前記撮像装置での録画を開始制御することを特徴とする生体情報計測システム。
【請求項１７】
請求項１５または１６において、
前記撮像装置は、前記操作表示画面及び前記被験者の顔貌を含めて撮像する全方位撮像装置を含み、
前記全方位撮像装置が撮像した前記被験者の顔貌情報が前記操作入力情報と関連付けて前記記録装置に記憶されることを特徴とする生体情報計測システム。
【請求項１８】
請求項９乃至１７のいずれかにおいて、
前記被験者に環境刺激を付与する環境刺激付与装置をさらに有し、前記環境刺激が前記生体情報または前記操作入力情報と関連付けて前記記録装置に記録されることを特徴とする生体情報計測システム。
【請求項１９】
請求項９乃至１８のいずれかにおいて、
前記操作入力部は、前記被検出体に対して電気絶縁性を有するタッチパネルであることを特徴とする生体情報計測システム。
【発明の詳細な説明】
【技術分野】
【０００１】
本発明は、入力インターフェース装置、及び生体情報計測システム等に関係する。
【背景技術】
【０００２】
照明・音響・画像提示等の環境刺激と、当該環境刺激に対する被験者の血圧・心電・脈波・脳波・脳血流等の生体反応と、当該被験者が如何に感じているかの主観報告とを統合的に制御・計測するシステムが特許文献１に開示されている。当該システムは、被験者の行動の動機を作り出す刺激を提示する刺激提示部と、被験者の生理反応情報を収集する生理反応情報収集部と、被験者の主観量情報や行動量情報を収集する主観量・行動量情報収集部と、を含む。そして、生理反応情報と、主観量情報と、行動量情報とのうちの少なくともいずれか一つの情報と、刺激とに基づいて、被験者の心身状態を制御演算部で評価する。
【０００３】
また、被験者からの生体情報を収集する際に、被験者自身が操作入力するための入力インターフェース装置として、感圧式のタッチパネルが使用されている健康管理システムが特許文献２に開示されている。
【先行技術文献】
【特許文献】
【０００４】
【特許文献１】特開２００７−１６７１０５号公報
【特許文献２】特開２００５−０２１３１８号公報
【発明の概要】
【発明が解決しようとする課題】
【０００５】
しかしながら、被験者が主観報告をする際に、例えば、被験者が迷わず報告するか、暫く悩んでから報告するかと言った具合に、その主観報告に至るまでのプロセスに変化がある。システムでの環境刺激と、被験者の生体反応と、被験者の主観報告とを統合的に制御・計測するに際して、環境刺激に対する被験者の主観報告に至るまでのプロセス変化等を含む解析が行われると、より的確な主観報告の評価が可能となり好ましい。
【０００６】
本発明に係る幾つかの態様によれば、被験者の主観報告する際の回答を入力するプロセスも含めて解析できる。
【課題を解決するための手段】
【０００７】
本発明の一態様は、被験者の生体情報を計測する生体情報計測システムに用いられる入力する入力インターフェース装置であって、操作表示画面を含み、前記被験者により操作入力される操作入力部と、前記被験者が情報入力する部位を被検出体とし、前記被検出体が前記操作表示画面に対して非接触である時の前記被検出体を検出する非接触状態検出部とを含む入力インターフェース装置に関係する。
【０００８】
本発明の一態様によれば、非接触状態検出部によって、被験者が操作入力部に情報入力する際における被検出体の操作入力部への非接触状態が検出される。被検出体は、被験者自身の一部である手や指、あるいは被験者により操作される入力ペン等である。被験者の入力操作等による被験者の心理、状態、状態変化は被検出体の動作に現れる。この被検出体を検出して、当該検出情報を被験者の解析に用いることが出来る。
【０００９】
本発明の一態様では、前記被接触状態検出部での検出結果に基づいて、前記操作表示画面を表示制御する表示制御部をさらに設けることができる。この検出結果は、操作表示画面を表示制御する位置情報や点灯開始情報などにもなり得るので、入力インターフェース装置での表示制御情報として兼用できる。
【００１０】
本発明の一態様では、前記非接触状態検出部は、前記操作表示画面と平行な面上での前記被検出体の二次元位置情報を検出する二次元位置検出部を含むことができる。
【００１１】
このようにすれば、表示制御部は、被検出体の二次元位置情報に基づいて、操作表示画面上のカーソルを表示制御することができる。
【００１２】
また、本発明の一態様では、前記非接触状態検出部は、前記操作表示画面に垂直な方向での前記被検出体の高さ位置情報を検出する高さ位置検出部を含むことができる。
【００１３】
このようにすれば、前記表示制御部は、前記高さ位置情報に基づいて、前記被検出体が前記操作表示画面から所定範囲に入った時に前記操作表示画面を点灯表示制御することができる。
【００１４】
また、本発明の一態様では、前記非接触状態検出部は、少なくとも前記操作表示画面を撮像する撮像装置をさらに有し、前記撮像装置が撮像した前記被検出体の画像情報に基づいて前記被検出体を検出することができる。ただし、被検出体の二次元位置情報や高さ情報は、必ずしも撮像画像から求めるものに限らず、他の非接触検出手段である光学的手段例えばレーザーレンジファインダや、焦電センサを用いることができる。
【００１５】
また、本発明の一態様では、前記非接触状態検出部は、少なくとも前記操作表示画面を撮像する撮像装置をさらに有し、前記高さ位置情報に基づいて、前記被検出体が前記操作表示画面から所定範囲に入った時に前記撮像装置での録画を開始制御することができる。こうすると、無駄に電力を消費することがない。
【００１６】
本発明の他の態様は、被験者に直接取り付けられて前記被験者の生体情報を測定する測定装置と、操作表示画面を含み、前記被験者により操作入力される操作入力部と、前記被験者が情報入力する部位を被検出体とし、前記被検出体が前記操作表示画面に対して非接触である時の前記被検出体を検出する非接触状態検出部と、前記非接触状態検出部からの検出結果を、前記測定装置からの生体情報または前記操作入力部への操作入力情報と関連付けて記録する記録装置と、を有することを特徴とする生体情報計測システムに関する。
【００１７】
本発明の他の態様では、非接触状態検出部からの検出結果を、前記測定装置からの生体情報または前記操作入力部への操作入力情報と関連付けて記録するために用いることができる。つまり、操作入力する直前の被検出体の情報から、被験者が、例えば即答したか、迷ったか、どの選択肢の間で迷ったか等を認知することができ、被験者を評価する貴重なデータとなり得る。
【００１８】
また、本発明の他の態様では、前記非接触状態検出部は、前記操作表示画面と平行な面上での前記被検出体の二次元位置情報を検出する二次元位置検出部を含み、前記二次元位置情報は前記操作入力情報と関連付けて前記記録装置に記録されてもよい。
【００１９】
このようにすれば、被検出体の二次元位置情報は、被験者の回答プロセスを反映する貴重な評価データとして利用できる。
【００２０】
また、本発明の他の態様では、前記被接触状態検出部での検出結果に基づいて、前記操作表示画面を表示制御する表示制御部をさらに有し、前記表示制御部は、前記二次元位置情報に基づいて、前記操作表示画面上のカーソルを表示制御することができる。
【００２１】
このようにすれば、被検出体の二次元位置情報は、被験者の評価データの他カーソル移動情報として兼用できる。
【００２２】
また、本発明の他の態様では、前記非接触状態検出部は、前記操作表示画面に垂直な方向での前記被検出体の高さ位置情報を検出する高さ位置検出部を含み、前記表示制御部は、前記高さ位置情報に基づいて、前記被検出体が前記操作表示画面から所定範囲に入った時に前記操作表示画面を点灯表示制御することができる。
【００２３】
このようにすれば、被検出体の高さ位置情報により、被験者が操作表示画面を利用するタイミングに合わせて操作表示画面を点灯表示制御することができ、しかも消費電力を低減できる。
【００２４】
また、本発明の他の態様では、前記非接触状態検出部は、前記被検出体の速度、加速度等の物理量を検出する物理検出部を含み、前記物理量は前記操作入力情報と関連付けて前記記録装置に記録することができる。
【００２５】
このようにすれば、被検出体の物理量は例えば速度・加速度が大きいと興奮状態であり小さいと安静状態である等の指標となり、操作入力時の被験者の状態を示す貴重なデータとして利用できる。
【００２６】
また、本発明の他の態様では、前記非接触情報検出部は、前記被検出体が移動している期間を検出する移動期間検出部を含み、前記移動期間は前記生体情報と関連付けて前記記録装置に記録することができる。
【００２７】
このようにすれば、被検出体が移動している間は体動によるノイズが発生するため、生体情報中にノイズが含まれていると判定できる。
【００２８】
また、本発明の他の態様では、前記非接触状態検出部は、少なくとも前記操作表示画面を撮像する撮像装置をさらに有し、前記撮像装置が撮像した前記被検出体の画像情報に基づいて前記被検出体を検出することができる。ただし、上述した通り、被検出体の二次元位置情報や高さ情報は、必ずしも撮像画像から求めるものに限らず、他の非接触検出手段である光学的手段例えばレーザーレンジファインダや、焦電センサを用いることができる。
【００２９】
本発明の他の態様でも、前記非接触状態検出部は、少なくとも前記操作表示画面を撮像する撮像装置をさらに有し、前記高さ位置情報に基づいて、前記被検出体が前記操作表示画面から所定範囲に入った時に前記撮像装置での録画を開始制御することができる。
【００３０】
また、本発明の他の態様では、記撮像装置は、前記操作表示画面及び前記被験者の顔貌を含めて撮像する全方位撮像装置を含み、前記全方位撮像装置が撮像した前記被験者の顔貌情報を前記操作入力情報と関連付けて前記記録装置に記憶することができる。
【００３１】
このようにすれば、環境刺激に対する被験者の主観報告を入力する際の被験者の顔貌から読み取れる感情等を含めて、感性工学的な視点でも被験者の主観報告を評価できるようになる。
【００３２】
また、本発明の他の態様では、前記被験者に環境刺激を付与する環境刺激付与装置をさらに有し、前記環境刺激が前記生体情報または前記操作入力情報と関連付けて前記記録装置に記録することができる。
【００３３】
このようにすれば、環境刺激に対する被験者の主観報告の回答の際における入力操作の細かな動作情報を含めて、感性工学的な視点でも被験者の主観報告を評価できる。
【００３４】
また、本発明の一態様および他の態様では、前記操作入力部は、前記被検出体に対して電気絶縁性を有するタッチパネルとすることができる。
【００３５】
このようにすれば、電気生理的な計測に電位変動、短絡によるアーチファクトの発生を抑制した上で、被験者の正確な生体情報を検出することができる。
【図面の簡単な説明】
【００３６】
【図１】本発明の第１の実施形態に係る生体情報計測システムの機能ブロック図。
【図２】同実施形態の生体情報計測システムの概略構成図。
【図３】同実施形態の入力インターフェース装置の斜視図。
【図４】同実施形態の生体情報計測システムに含まれる測定装置の具体的な構成図。
【図５】同実施形態の入力インターフェース装置の非接触状態検出部による被検出体の非接触状態の検出動作の説明図。
【図６】同実施形態の入力インターフェース装置に含まれる撮像装置の撮像範囲に関する説明図。
【図７】図７（Ａ）〜図７（Ｄ）は、同実施形態の入力インターフェース装置に含まれる撮像装置の撮像範囲に関する説明図。
【図８】同実施形態の生体情報計測システムの動作フローチャート。
【図９】図形照合課題の一例を示す図。
【図１０】図１０（Ａ）、図１０（Ｂ）は、同実施形態の入力インターフェース装置の非接触状態検出部による被検出体の非接触状態の検出動作の説明図。
【図１１】図１１（Ａ）〜図１１（Ｃ）は、同実施形態の入力インターフェース装置の非接触状態検出部による被検出体の非接触状態の検出動作の説明図。
【図１２】図１２（Ａ）、図１２（Ｂ）は、他の実施形態の入力インターフェース装置の非接触状態検出部による被検出体の非接触状態の検出動作の説明図。
【図１３】図１３（Ａ）、図１３（Ｂ）は、他の実施形態の入力インターフェース装置の非接触状態検出部による被検出体の非接触状態の検出動作の説明図。
【図１４】図１４（Ａ）、図１４（Ｂ）は、他の実施形態の入力インターフェース装置の非接触状態検出部による被検出体の非接触状態の検出動作の説明図。
【図１５】図１５（Ａ）〜図１５（Ｄ）は、図形照合課題の実験と画面切り替えの一例を示す図。
【図１６】図１６（Ａ）〜図１６（Ｄ）は、図形照合課題の実験と画面切り替えの一例を示す図。
【発明を実施するための形態】
【００３７】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００３８】
図１は、本発明の第１の実施形態に係る生体情報計測システムの機能ブロック図であり、図２は、同実施形態の生体情報計測システムの概略構成図であり、図３は、同実施形態の生体情報計測システムに含まれる入力インターフェース装置の斜視図である。
【００３９】
本実施形態の生体情報計測システム１００は、被験者への外部からの環境刺激と、環境刺激に対する被験者の生体反応と、環境刺激に対して被験者が如何に感じているかの主観報告と、各種の質問に対する回答結果等とを統合的に制御・計測するシステムであり、図１に示すように、環境刺激付与装置１０２と、測定装置１０４と、記録装置１０６とを含む。
【００４０】
環境刺激付与装置１０２は、計測対象となる被験者ＯＢに照明、音響、室温、画像提示等の環境刺激を付与する。本実施形態では、環境刺激付与装置１０２は、図２に示すように、生体情報計測室１０１の内部に設けられた空調装置１０２ａや、スクリーン（大型ディスプレイ）１０２ｃに投影される画像を呈示する画像呈示装置（プロジェクタ）１０２ｂ等を含む。被験者ＯＢは、画像呈示装置１０２ｂの投影画像を視聴する位置に設置されたシート１０３に着座した位置にて、あるいは操作入力部１２０に任意に接触可能な位置にて、操作入力部１２０を介して、当該環境刺激に対する主観報告や質問に対する回答を入力する。また、環境刺激は、生体情報計測システムの制御を司る制御装置１１２の制御に従い、メモリ１１０に記憶された信号に基づいて環境刺激情報変換部１０８で電気信号等に変換され、制御装置１１２により環境刺激付与装置１０２を駆動して被験者ＯＢに付与される。
【００４１】
測定装置１０４は、図２に示すように、生体情報計測室１０１の内部に入っている被験者ＯＢに取り付けられ、環境刺激付与装置１０２（１０２ａ、１０２ｂ、１０２ｃ）から付与された環境刺激に対する被験者ＯＢの血圧、心電、脈波、脳波、脳血流等の生体反応から得られる生体情報を測定する。本実施形態では、測定装置１０４は、被験者ＯＢに直接装着される計測プローブ１１４と、計測プローブ１１４からの電気的信号を増幅する生体アンプ１１６と、を含む。計測プローブ１１４は、血圧、心電、脈波、脳波、脳血流等の生体反応の測定目的に応じて一又は複数設けられ、必要により被験者ＯＢに対して導電性ペースト(図示しない）等を介して装着される。そして、生体アンプ１１６で増幅した生体情報の電気的信号は、生体アンプ１１６の内部や実験者コンソールに設置されている記録装置１０６に送られ、必要により制御装置１１２の制御に従いＨＤＤ（ Hard Disk Drive ）や半導体メモリ等の記録媒体（メモリ）１１０に当該生体情報が記録される。なお、測定装置１０４の詳細な説明については、後述する。
【００４２】
記録装置１０６は、図２に示すように、生体情報計測室１０１の外部に設けられ、環境刺激付与装置１０２から付与された環境刺激に応じて、計測プローブ１１４で計測されて生体アンプ１１６から出力される被験者ＯＢの生体情報を記録する。また、記録装置１０６は、環境刺激に対して被験者ＯＢが操作入力部１２０を介して入力した回答情報を、制御装置１１２の制御に従い記録することができる。この回答情報のうちの一部または全部は、制御装置１１２を介して、環境刺激と関連付けて記録媒体１１０に記録することができる。
【００４３】
本実施形態では、入力インターフェース装置１４０は、図３に示すように、操作表示画面１２０ａをスタイラスペン１２０ｃや手指等で押圧することで情報入力が可能なタッチパネル等の操作入力部１２０と、操作表示画面１２０ａの縁枠部１２０ｂに少なくとも１つ例えば２つ設けられる撮像装置１３０と、を含む。入力インターフェース装置１４０のタッチパネル画面（操作表示画面）１２０ａには、各種質問事項や、コントロール用のボタンが表示され、それらの入力位置情報が操作情報として入力される。この操作情報は、ネットワーク等の有線や無線を通じて記録装置１０６や制御装置１１２に伝送される。当該操作情報を伝送するために接続されるネットワークの具体的な例として、イーサネット（登録商標）や、無線ＬＡＮ、Ｚｉｇｂｅｅ、Ｂｌｕｅｔｏｏｔｈ、ＵＳＢ、ＩＥＥＥ１３９４、ＲＳ２３２Ｃ、ＧＰＩＢ等の各種通信規格等のネットワークが挙げられる。
【００４４】
操作入力部１２０は、操作表示画面１２０ａを絶縁体１１８で覆った感圧式タッチパネルであり、操作表示画面１２０ａを押圧することで情報の入力を行う。操作入力部１２０で入力された情報は、操作入力変換部１２２で電気信号等に変換されて、制御装置１１２に供給される。そして、操作入力変換部１２２を介して操作入力部１２０から制御装置１１２に入力された操作情報、記録装置１０６や記憶媒体１１０に記憶された情報等を元に、表示制御部１２４は、表示部１２６（図３に示す操作表示画面１２０ａ）に表示する呈示情報を出力する。なお、制御装置１１２は生体情報計測システム１００の制御を司るために必要であるが、入力インターフェース装置１４０単体としては、非接触状態検出部１２８からの情報に基づいて操作表示画面１２０ａを表示制御部１２４が表示制御できるように構成することができ、制御装置１１２を省略できる。
【００４５】
このとき、制御装置１１２からは、記録装置１０６に操作情報が出力されて記録されるが、その際に、生体情報と同期して記録されることが好ましい。これら同期して記録される操作情報や生体情報は、前述した環境刺激情報と関連付けて、ＨＤＤ（ Hard Disk Drive ）や半導体メモリ等の記録媒体（メモリ）１１０に記録される。
【００４６】
上述したように、本実施形態では、入力インターフェース装置１４０は、被験者ＯＢと、操作入力部１２０との間に絶縁体１１８が介在する絶縁型のタッチパネルなので、被験者ＯＢと操作入力部１２０との間の短絡を防止することが出来る。これにより、被験者ＯＢの帯電が短絡により放出されることで生じる計測プローブ１１４でのスパークノイズの入力や、電位の変動、計測プローブ１１４と操作入力部１２０との間の短絡による被験者ＯＢへの危険な電流の発生等を未然に防止することが出来る。また、このように絶縁体１１８を用いることにより、不要な静電気スパークが防止できるため、被験者ＯＢに対する質的影響を抑制できる。さらに、操作表示画面１２０ａに表示されるコンテンツの変更に対して、柔軟な表示や、被験者の直感的な操作入力を容易にすることができる。
【００４７】
なお、操作入力部１２０の例としては、操作表示画面１２０ａの表面を絶縁体１１８で覆った感圧式タッチパネルに限定されず、操作表示画面１２０ａを含む絶縁型のタッチパネルであれば、光スイッチ方式のタッチパネルでもよい。また、操作入力部１２０は、電気絶縁性を有するものであれば、タッチパネル以外にも、各種機械スイッチ、スライダ、ノブ等、また、絶縁体で作られた電磁誘導式のスタイラスペン等に代用してもよい。
【００４８】
本実施形態では、操作入力するための入力インターフェース装置１４０に、被験者ＯＢが情報入力する際に、操作手段となるスタイラスペン１２０ｃや手指等の被検出体が操作入力部１２０に近接する非接触状態を検出する非接触状態検出部１２８が設けられる。非接触状態検出部１２８は、図１に示すように、撮像装置１３０と、動作検出部１３２とを含むことができる。
【００４９】
撮像装置１３０は、被験者ＯＢが操作入力部１２０に情報入力する際の入力手段となるスタイラスペン１２０ｃや手指等の被検出体が、操作入力部１２０に近接する非接触状態を検出するために設けられている。本実施形態では、撮像装置であるタッチパネルカメラ１３０は、タッチパネル１２０の操作表示画面１２０ａの縁枠部１２０ｂに少なくとも１つが設けられ、少なくとも操作入力部（タッチパネル）１２０の操作表示画面１２０ａとその近傍を撮像する。そして、タッチパネル１２０に近接する非接触状態での手指等やスタイラスペン１２０ｃ（被検出体）の概略位置を計測する。
【００５０】
動作検出部１３２は、撮像装置１３０が撮像したタッチパネル１２０への操作入力手段となるスタイラスペン１２０ｃのペン先や被験者ＯＢの指先等の被検出体の画像情報から、次のいずれか一つ又は複数の情報を検出することができる。
【００５１】
（１）被検出体の位置情報
撮像装置１３０により撮像された画像中の被検出体ＯＢｆの特徴点の抽出や、２枚の画像比較結果から、現在の被検出体ＯＢｆの位置情報を検出することができる。この位置情報検出は、動作検出部１３２中の位置検出部１３２ａにて実施される。
【００５２】
被検出体ＯＢｆの位置情報として、２種類挙げることができる。一つは、図３に示すＸ−Ｙ平面上での位置情報であり、これは、操作表示画面１２０ａと平行な面上での位置情報（Ｘ，Ｙ）である。この位置情報（Ｘ，Ｙ）に基づいて、制御装置１１２及び表示制御部１２４を介して、操作表示画面１２０ａ（１２６）上にて被検出体ＯＢｆの二次元位置（Ｘ，Ｙ）と一致する位置にカーソルをリアルタイム表示することができる。これにより、被験者ＯＢは、操作表示画面１２０ａ上にて操作位置を確認することができる。なお、二次元位置情報は座標（ｒ，θ）としても良い。また、静電誘導型のタッチパッドを用いると、撮像画像に頼らずに被検出体ＯＢｆの位置情報を検出でき、それに基づいてタッチパネル画面上にてカーソル移動制御を行なうことが可能となる。つまり、この場合には撮像装置１３０は必須ではなくなる。
【００５３】
また、被検出体ＯＢｆの位置情報は、例えば操作表示画面１２０ａに複数の選択肢が表示され、そのいずれか一つを回答させる場合等にあっては、被験者ＯＢが即答したか、あるいは最終回答前に被験者ＯＢが迷ったか、さらにはどの複数の選択肢間で迷ったかとの事前情報の解析に用いることができる。これらの事前情報を、最終回答と共に記録媒体１１０に関連付けて記録しておくことで、被験者ＯＢの評価の自由度を高めることができる。
【００５４】
被検出体ＯＢｆの他の位置情報は、図３に示すＺ軸方向の位置情報（Ｚ）であり、これは操作表示画面１２０ａと直交する高さ位置である。この位置情報（Ｚ）は、操作表示画面１２０ａに近付いたか否かを検出する指標となる。この位置情報（Ｚ）に基づいて、制御装置１１２及び表示制御部１２４は、タッチパネル１２０（操作表示画面１２０ａ）の点灯・消灯を制御することができる。すなわち、非接触状態検出部１２８が被検出体のタッチパネル１２０への近接を検出したら、表示制御部１２４は、タッチパネル１２０を点灯し、非接触状態検出部１２８が被検出体のタッチパネル１２０からの離隔を検出したら、表示制御部１２４は、タッチパネル１２０を消灯する。
【００５５】
（２）被検出体の物理量（速度・加速度など）
撮像装置１３０により撮像された２枚の画像比較結果からの被検出体ＯＢｆの移動距離と、２枚の画像間隔とから、被検出体ＯＢｆの移動速度情報を検出することができる。この移動速度情報検出は、動作検出部１３２中の物理量検出部１３２ｂにて実施される。物理量として、被検出体ＯＢｆの加速度を検出したい場合には、画像解析結果に基づかなくても、被験者ＯＢの手首等に加速度センサ装着するものであっても良い。つまり、この場合には撮像装置１３０は不要となる。被検出体ＯＢｆの物理量である速度、加速度も、被験者ＯＢの回答の俊敏性等の解析に用いることができ、最終回答と共に記録媒体１１０に関連付けて記録しておくことで、被験者ＯＢの評価の自由度を高めることができる。
【００５６】
（３）被検出体の移動期間情報
撮像装置１３０により撮像された画像中の被検出体ＯＢｆの特徴点の抽出や、２枚の画像比較結果から、現在の被検出体ＯＢｆの移動期間を検出することができる。この移動期間情報検出は、動作検出部１３２中の移動期間検出部１３２ｃにて実施される。被検出体ＯＢｆが移動している間は、いわゆる体動期間であるので、被験者ＯＢの体動に伴うアーチファクト（ノイズ発生）の期間を同定することができる。したがって、この期間を生体反応の記録と関連付けて記憶することで、生体反応の異常なのかノイズなのかの判定に用いることができる。
【００５７】
図４は、同実施形態の生体情報計測システムに含まれる測定装置の具体的な構成図である。測定装置１０４は、被験者ＯＢに装着される計測プローブ１１４と、計測プローブ１１４からの電気的信号を増幅する生体アンプ１１６と、を含む。計測プローブ１１４として、具体的には、心電図を計測する生体電極１１４ａ、連続式血圧計１４２に接続され血圧を連続的に測定する暁骨血圧プローブ１１４ｂ、光電式の指尖脈波プローブ１１４ｃ等が被験者ＯＢに接続される。このうち、特に影響が大きいのは、生体電極１１４ａを用いた計測である。図４では、腕での誘導を用いた心電図計測を示しているが、各種誘導法による接続方法を代用しても良く、また、心電のみならず、皮膚電気抵抗、脳波、筋電、眼電位などの電気的な生体情報を計測する際にも、同様に生体電極１１４ａを用いた計測がなされる。
【００５８】
この際、被験者ＯＢの内的、主観的認知（主観報告）を知るための質問紙や、操作などを簡易入力インターフェース装置１４０の操作表示画面１２０ａに表示し、選択、コマンドの入力などを実施する。この入力インターフェース装置１４０の操作表示画面１２０ａ並びに筐体については、前述したように絶縁体１１８を含み、本実施形態では、操作表示画面１２０ａ上には、重畳された感圧式タッチパネルが使用されている。これらの各計測プローブ１１４ａ、１１４ｂ、１１４ｃは、生体アンプ１１６に接続されて、電気的信号が増幅される。
【００５９】
生体アンプ１１６からの情報は、図４に示すように、収録用ＰＣ１４４に接続される。この収録用ＰＣ１４４が実験者コンソールとなり、図１に示す制御装置１１２、記録装置１０６等を具体的に実装したものになる。また、簡易入力インターフェース装置１４０は、タブレットＰＣ等となり、その画面上のタッチパネルが絶縁体で覆われた感圧式のタッチパネルとなる。なお、本実施の形態では、タブレットＰＣを例示したが、通常のノートＰＣ等でもよく、タッチパッドが感圧式であればよい。その際に、マウス、キーボード等の通常のインターフェースが絶縁体で覆われているか、若しくは素材そのものが絶縁体であることを要する。
【００６０】
次に、本実施形態の入力インターフェース装置に設けられる撮像装置の配置、構成の詳細について図面を用いて説明する。図５は、本実施形態の入力インターフェース装置の非接触状態検出部による被検出体の非接触状態の検出動作の説明図である。
【００６１】
本実施形態では、タッチパネルカメラ１３０は、図５に示すように、タッチパネル１２０の操作表示画面１２０ａの縁枠部１２０ｂに１対設けれ、操作表示画面１２０ａを介して対向する位置に配置されている。タッチパネルカメラ１３０は、タッチパネル１２０を操作表示画面１２０ａに略平行に撮像することによって、タッチパネル１２０と被験者ＯＢの手指等の被検出体の距離である図３のＺ軸方向の位置や、操作表示画面１２０ａと平行な面内における図３の二次元位置情報（Ｘ，Ｙ）を撮影できるようになる。また、本実施形態では、操作表示画面１２０ａの縁枠部１２０ｂに沿って複数のカメラ１３０を設けることによって、操作表示画面１２０ａに平行な面上の全域を計測することができる。図５ではカメラ１３０の撮像する画角範囲を一点鎖線で例示している。操作表示画面１２０ａの表面の大半部分を撮像範囲としてカバーすることが望ましい。
【００６２】
さらに、本実施形態では、タッチパネルカメラ１３０として、全方位光学系（全方位光学装置）を用いることができる。このため、より効率的な撮像をすることが可能となり、実装上も操作表示画面１２０ａに対して平行な基板上での取り付けが容易となる。この場合、上述した二次元位置情報は、直交二軸座標（Ｘ，Ｙ）に代えて、角度による座標（r，θ）で記述して、被検出体ＯＢｆの位置情報としてもよい。
【００６３】
また、タッチパネルカメラ１３０として、直視を組み合わせた全方位光学系を使用すれば、操作表示画面１２０ａに接近する遠方の操作入力手段となる手指等の被検出体ＯＢｆや、被験者ＯＢの顔貌を撮像することもできる。このように、入力インターフェース装置１４０に設けられるタッチパネルカメラ１３０を全方位光学系とすることにより、図６に示すように、タッチパネルカメラ１３０の盤面撮像範囲Ａ１で操作表示画面１２０ａを撮像すると同時に、タッチパネルカメラ１３０の直視撮像範囲Ａ２で被験者ＯＢの顔貌等を撮像できる。このため、被験者ＯＢの表情やしぐさ等の表出情報も、被験者ＯＢの関連情報として同時にメモリ１１０に記録することができる。それによって、環境刺激に対する被験者ＯＢの主観報告等を入力する際の被験者ＯＢの顔貌から読み取れる感情等を含めて、感性工学的な視点でも被験者ＯＢの主観報告を評価できるようになる。
【００６４】
さらに、本実施形態では、操作表示画面１２０ａの一方に偏移して取付けられたタッチパネルカメラ１３０が、操作表示画面１２０ａの枠内を有効表示領域とするために、タッチパネルカメラ１３０の光学系と撮像素子とをシフトさせることができる。図７（Ａ）〜図７（Ｄ）に本実施形態の入力インターフェース装置に含まれる撮像装置の撮像範囲に関する説明図を示す。
【００６５】
図７（Ａ）は、タッチパネルの操作表示画面１２０ａの縁枠部１２０ｂの四辺上にタッチパネルカメラ１３０を配置した例を示している。図７（Ｂ）は、図７（Ａ）の上辺に設けられたタッパネルカメラ１３０の全方位画像結像部Ｂ１、直視画像結像部Ｂ２と、撮像素子配設領域１３１との関係を示している。撮像素子配設領域１３１は操作表示画面１２０ａの面内とほぼ一致する。タッパネルカメラ１３０の光学系による撮像領域が全方位画像結像部Ｂ１、直視画像結像部Ｂ２であるが、全方位画像結像部Ｂ１の一部は操作表示画面１２０ａの面内よりも外れている。そこで、タッチパネルカメラ１３０の光学系と撮像素子とをシフトさせ、操作表示画面１２０ａの面内よりも外れた領域には撮像素子を設けないようにしている。
【００６６】
同様に、図７（Ｃ）は、タッチパネルの操作表示画面１２０ａの対角にタッチパネルカメラ１３０を配置した例を示している。図７（Ｄ）は、図７（Ｄ）に示す操作表示画面１２０ａの右上に配置されたタッパネルカメラ１３０の全方位画像結像部Ｂ１、直視画像結像部Ｂ２と、撮像素子配設領域１３１との関係を示している。この場合も、タッチパネルカメラ１３０の光学系と撮像素子とをシフトさせ、操作表示画面１２０ａの面内よりも外れた領域には撮像素子を設けないようにしている。このようにして、画素を有効に活用して、計測精度を高めつつ、価格の安い小さな撮像素子を採用できるようになる。
【００６７】
次に、本実施形態の生体情報計測システムの動作フローについて、図面を使用しながら説明する。図８は、本実施形態の生体情報計測システムの動作フローチャートであり、入力インターフェース装置となるタッチパネルにより環境刺激や、課題の結果を入力する際の実験例のフローチャートを示す。以下に示す動作は、図１の制御装置１１２に設定された動作プログラムに従って実行され、制御装置１１２は、タッチパネル１２０への入力情報、非接触状態検出部１２８にて検出される検出情報、測定装置１０４にて測定される生体情報に基づいて、表示部１２６である操作表示画面１２０ａへの表示制御や記録装置１０６または記録媒体１１０への記録制御を司る。
【００６８】
本実施形態の生体情報計測システム１００による実験を開始する際には、まず、被験者ＯＢの血圧、心電、脈波、脳波、脳血流等の生体情報を測定するための測定装置１０４の各種電極、センサ等を被験者ＯＢに装着させる（ステップＳ１０１）。その後、測定装置１０４の各種電極、センサ等の初期値の補正や感度の調整等の初期化を行ってから、生体情報の測定・記録を開始する（ステップＳ１０２）。その際に、被験者ＯＢに対して、スピーカー等から実験開始のアナウンスがされる（ステップＳ１０３）。
【００６９】
その後、環境刺激に対する被験者ＯＢの主観報告の実験のための刺激提示・課題実行の画面がタッチパネル１２０に表示される（ステップＳ１０４）。タッチパネル１２０に刺激提示・課題実行における画面の提示例として、例えば、図９に示すような図形の照合課題がある。図９に示す図形の照合課題は、例えば、画面に示す図形Ｆ１を回転させて、白黒反転で照合できる図形を選択肢Ａ〜Ｄから選ぶ課題となる。
【００７０】
図９に示すような課題の実施時は、被験者ＯＢの報告も随時必要となる。そのため、被験者ＯＢからの報告の有無を判定して（ステップＳ１０５）、被験者ＯＢからの報告があったら、入力インターフェース装置１４０は、アクティブとなって（ステップＳ１０６）、被験者ＯＢの主観報告の入力を受け付ける状態となる。
【００７１】
その後、被験者ＯＢの課題に対する回答をするための入力手段となる手指ＯＢｆがタッチパネル１２０に近接したか否かの判定が行われる（ステップＳ１０７）。近接が検出されるまでステップＳ１０６とステップＳ１０７を繰り返す。そして、手指等のタッチパネル１２０への近接を検出したら、タッチパネルカメラ１３０による録画を開始すると共に、被験者ＯＢの手指の位置情報を検出して、その検出結果をメモリ１１０（図１参照）に記録する（ステップＳ１０８）。
【００７２】
ここで、本実施形態における被験者ＯＢの手指等のタッチパネル１２０への近接の検出方法の一例を説明する。図１０（Ａ）、図１０（Ｂ）は、本実施形態の入力インターフェース装置１４０の非接触状態検出部１２８による被検出体ＯＢｆの非接触状態の検出動作の説明図であり、図１１（Ａ）〜図１１（Ｃ）は、被検出体ＯＢｆの非接触状態の検出動作の具体的な説明図である。
【００７３】
本実施形態では、被験者ＯＢの手指等ＯＢｆのタッチパネル１２０への近接や離隔を検出する非接触状態検出部１２８として、図１０（Ａ）に示すように、全方位光学系からなる１対のタッチパネルカメラ１３０が操作表示画面１２０ａを介して対向する位置に配置されるように縁枠部１２０ｂに設けられている。タッチパネルカメラ１３０は、タッチパネル１２０を操作表示画面１２０ａに略平行に撮像することによって、タッチパネル１２０と被験者ＯＢの手指等の被検出体ＯＢｆの距離関係を撮影できる。
【００７４】
具体的には、タッチパネルカメラ１３０のカメラ画像情報からの差分画像として、手指等の被検出体ＯＢｆが２台のタッチパネルカメラ１３０に同時に写る場合に、手指ＯＢｆが近接したことを認識する。すなわち、図１０（Ｂ）に示すように、２台のタッチパネルカメラ１３０のオーバーラップ領域Ａ３が操作表示画面１２０ａに近接した領域となるので、手指ＯＢｆが当該オーバーラップ領域Ａ３に入ると、被験者ＯＢの手指（被検出体）ＯＢｆのタッチパネル１２０への近接を検出する。これにより、タッチパネルカメラ１３０からの画像が記録装置１０６に格納される録画が開始される。
【００７５】
なお、図１に示す位置検出部１３２ａは、複数のフレームメモリを含むことができ、録画開始前でも複数のフレームメモリ（図示せず）には新たな画像がリフレッシュされて一時的に格納される。フレームメモリに保存された画像情報のうち、連続した異なる時間における手指等ＯＢｆの画像情報の差分画像を求めて、背景を除去することで、被検出体ＯＢｆの画像を抽出することで、被検出体ＯＢｆのタッチパネル１２０への近接を検出することもできる。
【００７６】
被検出体ＯＢｆのタッチパネル１２０への近接は、図３に示すＺ軸方向の位置情報のみで足りるが、録画開始後は、図３に示すＸ，Ｙ座標（またはｒ，θ座標）での被検出体ＯＢｆの位置情報を検出する。すなわち、図１１（Ａ）に示す時刻ｔ１における手指の画像情報ＯＢｆｔ１と、図１１（Ｂ）に示す時刻ｔ２における手指の画像情報ＯＢｆｔ２に基づいて、その差分画像を図１１（Ｃ）に示すように求めて、手指ＯＢｆがタッチパネルの操作表示画面１２０ａの二次元座標のどの位置にあるかを検出することができる。被検出体ＯＢｆの二次元位置情報の検出は、位置検出部１３２ａにて実施しても良いし、記録装置１０６またはメモリ１１０の録画画像から検出しても良い。
【００７７】
なお、本実施形態における被験者ＯＢの手指等のタッチパネル１２０への近接の検出方法は、前述したタッチパネルカメラ１３０による実施形態に限定されない。すなわち、本実施形態の入力インターフェース装置１４０の非接触状態検出部１２８による手指等ＯＢｆのタッチパネル１２０への近接（非接触状態）の検出は、タッチパネルカメラ１３０以外の手段でも可能である。
【００７８】
例えば、図１２（Ａ）に示すように、タッチパネル１２０の操作表示画面１２０ａの縁枠部１２０ｂにレーザーレンジファインダ１５０を設けて、図１２（Ｂ）に示すように、レーザーレンジファインダ１５０のスキャン範囲Ｃ１に手指ＯＢｆが入ったら、手指ＯＢｆのタッチパネル１２０への近接を検出してもよい。このように、タッチパネルカメラ１３０とレーザーレンジファインダ１５０の併用により、レーザーレンジファインダ１５０のスキャン範囲Ｃ１で、かつ操作表示画面１２０ａに相当する距離に手指ＯＢｆが入ったことを画像から認識することができる。もちろん、レーザーレンジファインダ１５０だけで、被検出体ＯＢｆの位置情報Ｘ，Ｙ，Ｚを検出することもできる。
【００７９】
また、非接触状態検出部１２８の他の変形例として、図１３（Ａ）に示すように、操作表示画面１２０ａに平行な方向に向けて感度分布を有する焦電センサ１６０を操作表示画面１２０ａに設けることも可能である。焦電センサ１６０を操作表示画面１２０ａから所望の距離、例えば手のサイズと同等程度で反応するように設定すると、図１３（Ｂ）に示すように、手指ＯＢｆが操作表示画面１２０ａに近接すると、焦電センサ１６０の温度変化によって電荷が生じる焦電効果が起きて、手指ＯＢｆが近接したことを検出できる。なお、非接触状態検出部１２８による手指等ＯＢｆのタッチパネル１２０への近接の検出の精度を上げるために、図１４（Ａ）、図１４（Ｂ）に示すように、レーザーレンジファインダ１５０と焦電センサ１６０を併用しても良い。
【００８０】
上述したようにして、被験者ＯＢの手指ＯＢｆがタッチパネル１２０に近接した旨が検出されると、タッチパネルカメラ１３０での録画を開始される（ステップＳ１０８）。そして、タッチパネル１２０のバックライトが点灯し（ステップＳ１０９）、入力コンテンツが表示される（ステップＳ１１０）。その後、被験者ＯＢが課題となる入力コンテンツに対する回答をするために、タッチパネル１２０の操作表示画面１２０ａにタッチしたか否かの判定がされ（ステップＳ１１１）、タッチされて回答が入力された旨が検出されたら、回答情報をメモリ１１０に記録する（ステップＳ１１２）。タッチが検出されるまでステップＳ１１１とステップＳ１１２を繰り返す。
【００８１】
このとき、カメラ１３０の画像情報から被験者ＯＢの手指ＯＢｆの近接時における手指ＯＢｆの動きの記録を行うと共に、上述した通り手指ＯＢｆの二次元位置情報も算出して、記録装置１０６またはメモリ１１０に記録する。すなわち、手指ＯＢｆのタッチパネル１２０への近接が検出されると、タッチパネルカメラ１３０での録画が開始され、被験者ＯＢが回答する際の手指ＯＢｆの動きの記録を行うと共に、近接時の手指ＯＢｆの二次元位置情報も算出して、記録装置１０６またはメモリ１１０に記録する。換言すると、本実施形態では、手指ＯＢｆのタッチパネル１２０への近接が検出されると、被検出体となる手指ＯＢｆの位置情報と、タッチパネルカメラ１３０で撮像した手指ＯＢｆの画像情報とを関連付けてメモリ１１０に保存する。このため、被験者ＯＢのタッチパネル１２０への入力に至るまでのプロセスを含めて、環境刺激に対する被験者ＯＢの主観報告を評価できるようになる。
【００８２】
また、このような画像情報や位置情報から被検出体ＯＢｆの速度や加速度などの物理量も、物理量検出部１３２ｂや図示しない加速度センサ等で検出し、被験者の安静度の指標として用いることも可能である。その一例として、複数の画像情報から算出される手指ＯＢｆの動きの速度情報や加速度情報を被験者ＯＢの関連情報として記録装置１０６またはメモリ１１０に記憶する。そして、その速度情報や加速度情報等を用いて、手指ＯＢｆが小刻みな動きや、早い動きをしている時は、被験者ＯＢの活性が高く（興奮状態）、逆にゆっくりとした動きや、動きがほとんどないときには、被験者ＯＢが安静に近い状態であるというレベルをメタ情報として生体計測情報や操作入力情報に付加してもよい。
【００８３】
こうすることによって、環境刺激に対する被験者の主観報告の回答の際における入力操作の細かな動作情報を含めて、感性工学的な視点でも被験者の主観報告をより適切に評価できるようになる。また、測定装置１０４にて測定される生体情報が異常であるかノイズであるかを見極めるために、移動期間検出部１３２ｃにて、被検査体ＯＢｆが移動している移動期間を検出し、生体情報と共に記録装置１０６またはメモリ１１０に記録することもできる。計測プローブ１１４が手首等に装着されている場合、操作入力時に手首に体動が生じてノイズが発生するからである。
【００８４】
被験者ＯＢが回答を入力して、入力が確定して回答情報が記録されると（ステップＳ１１２）、被験者ＯＢの入力コンテンツが終了したか否かの判定がされる（ステップＳ１１３）。入力コンテンツが終了していなければ、入力コンテンツの表示切替をして（ステップＳ１１９）、ステップＳ１０５に戻る。被験者ＯＢの入力コンテンツが終了していれば、タッチパネルカメラ１３０の録画及び手指の位置検出を終了し（ステップＳ１１４）、タッチパネル１２０のバックライトを消灯する（ステップＳ１１５）。その後、次の課題があるか否かの判定がされて（ステップＳ１１６）、次の課題がなければ、記録を終了して（ステップＳ１１７）、実験を終了する。また、次の課題があれば、課題を切り替えて（ステップＳ１１８）、次の課題に移行する。また、ステップＳ１０５で所定期間被験者からの報告が無い場合もステップＳ１１８に移行する。
【００８５】
なお、図９に示す画面例の場合は、タッチパネル１２０のみに課題が提示され、課題に対する回答となる図形を直接タッチすることを想定しているが、課題提示と、回答入力画面を別にしてもよい。すなわち、課題提示を生体情報計測システム１００の計測室１０１（図２参照）に設けられた大型のディスプレイ１０２ｃで、回答をタッチパネル１２０で実施するようにしてもよい。
【００８６】
図１５（Ａ）〜（Ｄ）に、図形照合課題の実験と画面切り替えの一例として、課題提示を大型のディスプレイ１０２ｃで、回答をタッチパネル１２０で実施する場合の説明図を示す。この実施例では、手指ＯＢｆのタッチパネル１２０への近接に応じて、タッチパネル１２０に表示されるコンテンツ（課題）を切り替えるように構成している。
【００８７】
すなわち、図１５（Ａ）に示すように、課題画像が大型ディスプレイ１０２ｃに提示される前のブランク画像が提示されている場合には、タッチパネル１２０は、消灯した状態となっている。そして、図１５（Ｂ）に示すように、課題画像が大型ディスプレイ１０２ｃに提示されて、被験者ＯＢが課題に対して回答するために、タッチパネル１２０に手指ＯＢｆを近づけると、タッチパネル１２０が点灯する。その後、図１５（Ｃ）に示すように、被験者ＯＢが課題に対して回答を終えて、タッチパネル１２０から手指ＯＢｆを離すと、タッチパネル１２０が消灯する。そして、図１５（Ｄ）に示すように、次の課題画像が大型ディスプレイ１０２ｃに提示されて、被験者ＯＢが課題に対して回答するために、タッチパネル１２０に手指ＯＢｆを近づけると、タッチパネル１２０が点灯する。
【００８８】
このようなタッチパネル１２０の点灯・消灯の制御は、前述したように、非接触状態検出部１２８のタッチパネルカメラ１３０や、レーザーレンジファインダ１５０、焦電センサ１６０等の検出結果に応じて、タッチパネル１２０の表示を制御する表示制御部１２４が行う。すなわち、表示制御部１２８は、非接触状態検出部１２８が被検出体となる手指ＯＢｆのタッチパネル１２０への近接を検出したら、タッチパネル１２０を点灯し、手指ＯＢｆのタッチパネル１２０からの離隔を検出したら、タッチパネル１２０を消灯する。このように、環境刺激が付与されてから被験者ＯＢが主観報告として回答する際に、初めてタッチパネル１２０を点灯させることによって、より自然な感覚での被験者ＯＢの入力操作が実現されるようになる。
【００８９】
また、本実施形態の生体情報計測システム１００における他の実験例を図１６（Ａ）〜（Ｄ）に示す。この他の実験例では、環境刺激として大型ディスプレイ１０２ｃに画像提示をし、その環境刺激に対する被験者ＯＢの主観報告をタッチパネル１２０に表示される質問を用いて回答する。
【００９０】
すなわち、図１６（Ａ）に示すように、大型ディスプレイ１０２ｃにブランク画面を表示した後に、図１６（Ｂ）に示すように、大型ディスプレイ１０２ｃに一定時間の刺激画像Ｐ１を提示してから、図１６（Ｃ）に示すように、大型ディスプレイ１０２ｃの表示をブランク画面に切り替える。そして、環境刺激となる刺激画像Ｐ１に対して、被験者ＯＢが主観報告をするために、タッチパネル１２０に手を近づけている時だけ、図１６（Ｄ）に示すように、タッチパネル１２０が点灯して、当該刺激画像Ｐ１に対する質問等Ｑ１がタッチパネル１２０上に表示される。そして、被験者ＯＢが質問Ｑ１に対する回答の入力を終えて手指ＯＢｆがタッチパネル１２０から離れると、タッチパネル１２０が消灯するようにする。刺激画像提示中には、タッチパネル１２０は、点灯しないほうが実験上望ましいので、このようなタッチパネル１２０の点灯・消灯の制御は、自然な感覚での被験者ＯＢの入力操作を実現するようになる。
【００９１】
また、以上のような非接触状態検出部１２８で手指等ＯＢｆの近接検知を実施した際にのみ、手指ＯＢｆの位置情報、タッチパネルカメラ１３０で捉えた手指ＯＢｆの画像情報等を記録することによって、環境刺激に対する質問Ｑ１や、課題への取り組みにおいて、どのような軌道で手指を動かして入力をしたかを記録しても良い。このような被験者ＯＢの行動の情報により、被験者ＯＢの課題への取り組み姿勢や、課題に対する難易度の推定、覚醒状態の推定、運動状態の記録を行うことが出来る。
【００９２】
以上のような代表的な測定の流れのほかにも、測定の目的によっては、順序、方法、計測内容、課題の提示内容などをさまざまに変化させることができる。このような本実施形態の生体情報計測システム１００における実験において、手指ＯＢｆのタッチパネル１２０への近接を検知することによって、課題の切り替え、タッチパネル１２０のバックライトの点灯・消灯、手指動作の同時記録等が行われる。このため、計測に悪影響を及ぼす被験者ＯＢの不自然な動作を抑制すると共に、その動作をモニタ、記録することで計測のアセスメント・アーチファクトの推定を行えるようになる。また、その動作記録そのものが被験者の集中度や、緊張度、課題に対する取り組みや、思考、心理、認知状態の推定に用いる情報として用いることが可能となる。
【００９３】
なお、上記のように本実施形態について詳細に説明したが、本発明の新規事項および効果から実体的に逸脱しない多くの変形が可能であることは、当業者には、容易に理解できるであろう。従って、このような変形例は、全て本発明の範囲に含まれるものとする。
【００９４】
例えば、明細書または図面において、少なくとも一度、より広義または同義な異なる用語と共に記載された用語は、明細書または図面のいかなる箇所においても、その異なる用語に置き換えることができる。また、入力インターフェース装置、及び生体情報計測システムの構成、動作も本実施形態で説明したものに限定されず、種々の変形実施が可能である。
【符号の説明】
【００９５】
１００  生体情報計測システム、１０１  生体情報計測室、１０２  環境刺激付与装置、
１０４  測定装置、１０６  記録装置、１１０  メモリ、１１２  制御装置、
１１４  計測プローブ、１１６  生体アンプ、１１８  絶縁体、１２０  操作入力部、
１２０ａ  操作表示画面、１２０ｂ  縁枠部、１２０ｃ  スタイラスペン、
１２２  操作入力変換部、１２４  表示制御部、１２６  表示部、
１２８  非接触状態検出部、１３０  撮像装置、１３１  撮像素子、
１３２  動作検出部、１３２ａ  位置検出部、１４０  入力インターフェース装置、
ＯＢ  被験者、ＯＢｆ  被検出体
【図１】
2010220807.tif 000003
【図２】
2010220807.tif 000004
【図３】
2010220807.tif 000005
【図４】
2010220807.tif 000006
【図５】
2010220807.tif 000007
【図６】
2010220807.tif 000008
【図７】
2010220807.tif 000009
【図８】
2010220807.tif 000010
【図９】
2010220807.tif 000011
【図１０】
2010220807.tif 000012
【図１１】
2010220807.tif 000013
【図１２】
2010220807.tif 000014
【図１３】
2010220807.tif 000015
【図１４】
2010220807.tif 000016
【図１５】
2010220807.tif 000017
【図１６】
2010220807.tif 000018